(57)【要約】【課題】本発明は、チャンネル状態情報フィードバックの指示方法及び設備を開示し、無線通信技術の分野に関し、端末が基地局の指示にもとづいて、伝送ポイントの測定情報集合及び／又は測定を非周期的ＣＳＩフィードバックすることを実現する。【解決手段】本発明によれば、基地局は、複数の伝送ポイントの協力スケジューリング結果に基づいて、端末に非周期ＣＳＩフィードバックする伝送ポイントの測定集合及び／又はダウンリンクキャリヤー集合に対応する測定集合を確定し、確定した伝送ポイント測定情報集合及び／又は確定したダウンリンクキャリヤー集合に対応する測定集合を非周期ＣＳＩフィードバックする指示情報を端末に送信する。端末は指示情報に基づき、非周期的ＣＳＩフィードバックを行う。本発明を用いれば、端末は基地局の指示に基づき、伝送ポイント測定情報集合及び/又は測定集合を非周期的ＣＳＩフィードバックすることができる。
2014524679.tif 000002
【特許請求の範囲】
【請求項１】
基地局が、複数の伝送ポイントの協力スケジューリング結果に基づいて、端末に非周期ＣＳＩフィードバックする伝送ポイントの測定情報集合及び／又はダウンリンクキャリヤー集合に対応する測定集合を確定するステップと、
前記基地局が、確定した伝送ポイント測定情報集合及び／又は確定したダウンリンクキャリヤー集合に対応する測定集合を非周期ＣＳＩフィードバックする指示情報を前記端末に送信するステップと
を備えることを特徴とするチャンネル状態情報（ＣＳＩ）フィードバックの指示方法。
【請求項２】
前記基地局が、確定した伝送ポイント測定情報集合及び／又は確定したダウンリンクキャリヤー集合に対応する測定集合を非周期ＣＳＩフィードバックする指示情報を前記端末に送信することは、
基地局が、予めに設定した測定集合における伝送ポイント測定情報集合を非周期ＣＳＩフィードバックする指示情報を端末に送信するか、前記伝送ポイント測定情報集合には、前記測定集合における一部、或いは全部の伝送ポイント測定情報が含まれる、
或いは、基地局が、ダウンリンクキャリヤー集合に対応する測定集合を非周期ＣＳＩフィードバックする時に、関連の指示情報を端末に送信するか、
或いは、基地局が、確定したダウンリンクキャリヤー集合に対応する測定集合中の伝送ポイント測定情報集合に対して、非周期ＣＳＩフィードバックを行う指示情報を端末に、送信し、前記伝送ポイント測定情報集合には、確定したダウンリンクキャリヤー集合に対応する測定集合における一部、或いは全部の伝送ポイント測定情報が含まれることを特徴とする請求項１に記載のチャンネル状態情報（ＣＳＩ）フィードバックの指示方法。
【請求項３】
前記指示情報は１ビット、或いは２ビット、或いは３ビットサイズであることを特徴とする請求項２に記載のチャンネル状態情報（ＣＳＩ）フィードバックの指示方法。
【請求項４】
前記基地局が、端末に予めに設定したト測定集合における伝送ポイント測定情報集合を非周期ＣＳＩフィードバックする指示情報を端末に送信することは、
基地局が、端末に１ビットの指示情報を送信して、予めに設定した測定集合における全部の伝送ポイント測定情報の伝送ポイント測定情報集合を非周期的ＣＳＩフィードバックするように端末に指示するか、
或いは、基地局が、端末に１ビットの指示情報を送信して、予めに設定した測定集合における第１個の伝送ポイント測定情報の伝送ポイント測定情報集合を非周期的ＣＳＩフィードバックするように端末に指示するか、
或いは、基地局が、端末に２ビット或いは３ビットの指示情報を送信して、前記測定集合中の第１個の伝送ポイントテスト情報或いは前記測定集合中の伝送ポイント測定情報集合を非周期的ＣＳＩフィードバックするように端末に指示し、
前記伝送ポイント測定情報集合には、前記測定集合における一部、或いは全部の伝送ポイント測定情報が含まれることを特徴とする請求項３に記載のチャンネル状態情報（ＣＳＩ）フィードバックの指示方法。
【請求項５】
前記基地局が、確定したダウンリンクキャリヤー集合に対応する測定集合を非周期ＣＳＩフィードバックする指示情報端末に送信することは、
基地局が、端末に２ビット或いは３ビットの指示情報を送信して、前記指示情報が所在する現在キャリヤー、或いは確定したダウンリンクキャリヤー集合に対応する測定集合を非周期的ＣＳＩフィードバックするように端末に指示することを特徴とする請求項３に記載のチャンネル状態情報（ＣＳＩ）フィードバックの指示方法。
【請求項６】
前記基地局が、確定したダウンリンクキャリヤー集合に対応する測定集合における伝送ポイント測定情報集合を非周期ＣＳＩフィードバックする指示情報を端末に送信することは、
基地局が、端末に２ビット或いは３ビット或いは４ビットの指示情報をして、確定したダウンリンクキャリヤー集合に対応する測定集合における伝送ポイント測定情報集合を非周期的ＣＳＩフィードバックするように端末に指示することを含み、
当該伝送ポイント測定情報集合には、確定したダウンリンクキャリヤー集合に対応する測定集合における一部、或いは全部の伝送ポイント測定情報が含まれることを特徴とする請求項３に記載のチャンネル状態情報（ＣＳＩ）フィードバックの指示方法。
【請求項７】
基地局が端末に前記指示情報を送信する前に、
基地局が、各測定集合の中の伝送ポイント測定情報集合、各ダウンリンクキャリヤー集合に対応する測定集合、及びダウンリンクキャリヤー集合に対応する測定集合における伝送ポイント測定情報集合の情報を、上位層シグナリングを介して端末に通知するステップをさらに備えることを特徴とする請求項２ないし請求項６のいずれの１つに記載のチャンネル状態情報（ＣＳＩ）フィードバックの指示方法。
【請求項８】
基地局が、物理ダウンリンク制御チャンネル（ＰＤＣＣＨ）上のダウンリンク制御情報（ＤＣＩ）シグナリングを介して、端末に前記指示情報を送信することを特徴とする請求項１ないし請求項６のいずれか１つに記載のチャンネル状態情報（ＣＳＩ）フィードバックの指示方法。
【請求項９】
前記伝送ポイント測定情報は、伝送ポイントに対応するダウンリンク参考信号のコンフィグレーション情報であるか、或いは前記コンフィグレーション情報のインデックスであり、或いは伝送ポイントに対応するセルＩＤ情報であることを特徴とする請求項２ないし請求項６のいずれか１つに記載のチャンネル状態情報（ＣＳＩ）フィードバックの指示方法。
【請求項１０】
端末が、基地局により送信した伝送ポイント測定情報集合及び／又はダウンリンクキャリヤー集合に対応する測定集合を非周期ＣＳＩフィードバックする指示情報を受信するステップと、
端末が、前記指示情報に基づいて、伝送ポイント測定情報集合及び／又はダウンリンクキャリヤー集合に対応する測定集合の対応のＣＳＩを基地局にフィードバックすることを特徴とするチャンネル状態情報（ＣＳＩ）フィードバックの指示方法。
【請求項１１】
前記端末が、基地局により送信した伝送ポイント測定情報集合及び／又はダウンリンクキャリヤー集合に対応する測定集合を非周期ＣＳＩフィードバックする指示情報を受信することは、
端末が、基地局により送信した、予めに設定した測定集合における伝送ポイント測定情報集合に非周期ＣＳＩフィードバックする指示情報を受信するか、前記伝送ポイント測定情報集合には、前記測定集合における一部、或いは全部の伝送ポイント測定情報がふくまれる、
或いは、端末が、基地局により送信した確定したダウンリンクキャリヤー集合に対応する測定集合を非周期ＣＳＩフィードバックする指示情報を受信するか、
或いは、端末が、基地局により送信した確定したダウンリンクキャリヤー集合に対応する測定集合における伝送ポイント測定情報集合を非周期ＣＳＩフィードバックする指示情報を受信し、前記伝送ポイント測定情報集合には、確定したダウンリンクキャリヤー集合に対応する測定集合における一部、或いは全部の伝送ポイント測定情報を含むことを特徴とする請求項１０に記載のチャンネル状態情報（ＣＳＩ）フィードバックの指示方法。
【請求項１２】
前記指示情報は１ビット、或いは２ビット、或いは３ビットサイズであることを特徴とする請求項１１に記載のチャンネル状態情報（ＣＳＩ）フィードバックの指示方法。
【請求項１３】
前記端末が、前記指示情報に基づき、伝送ポイント測定情報集合及び／又はダウンリンクキャリヤー集合に対応する測定集合に対応するＣＳＩを基地局にフィードバックすることは、
端末が１ビットの指示情報を受信する場合、端末が、予めに設定した測定集合における全部の伝送ポイント測定情報の伝送ポイント測定情報集合に対応するＣＳＩを基地局にフィードバックするか、
或いは、端末が１ビットの指示情報を受信する場合、端末が、予めに設定した測定集合における全部の伝送ポイント測定情報の伝送ポイント測定情報集合に対応するＣＳＩを基地局にフィードバックするか、
或いは、端末が２ビット或いは３ビットの指示情報を受信する場合、端末が、指示の前記測定集合における第１個の伝送ポイントテスト情報或いは前記測定集合における伝送ポイント測定情報集合に対応するＣＳＩを基地局にフィードバックするか、前記伝送ポイント測定情報集合には、前記測定集合における一部、或いは全部の伝送ポイント測定情報が含まれる、
或いは、端末が２ビット或いは３ビットの指示情報を受信する場合、端末が、指示情報が所在するキャリヤー或いは指示したダウンリンクキャリヤー集合に対応する測定集合に対応するＣＳＩを基地局にフィードバックするか、
或いは、端末が２ビット或いは３ビット或いは４ビットの指示情報を受信する場合、端末が、指示したダウンリンクキャリヤー集合に対応する測定集合における伝送ポイント測定情報集合に対応するＣＳＩを基地局にフィードバックし、前記伝送ポイント測定情報集合には、前記測定集合における一部、或いは全部の伝送ポイント測定情報が含まれることを特徴とする請求項１２に記載のチャンネル状態情報（ＣＳＩ）フィードバックの指示方法。
【請求項１４】
端末が前記指示情報を受信する前に、
端末が、基地局が上位層シグナリングを介して送信した各測定集合における伝送ポイント測定情報集合、各ダウンリンクキャリヤー集合に対応する測定集合、及びダウンリンクキャリヤー集合に対応する測定集合における伝送ポイント測定情報集合の情報を受信することを特徴とする請求項１１ないし請求項１３のいずれか１つに記載のチャンネル状態情報（ＣＳＩ）フィードバックの指示方法。
【請求項１５】
端末が、物理ダウンリンク制御チャンネル（ＰＤＣＣＨ）上のダウンリンク制御情報ＤＣＩシグナリングを介して、前記指示情報を受信することを特徴とする請求項１０ないし請求項１３のいずれか１つに記載のチャンネル状態情報（ＣＳＩ）フィードバックの指示方法。
【請求項１６】
前記伝送ポイント測定情報は、伝送ポイントに対応するダウンリンク参考信号のコンフィグレーション情報であるか、或いは前記コンフィグレーション情報のインデックスであり、或いは伝送ポイントに対応するセルＩＤ情報であることを特徴とする請求項１１ないし請求項１３のいずれか１つに記載のチャンネル状態情報（ＣＳＩ）フィードバックの指示方法。
【請求項１７】
複数の伝送ポイントの協力スケジューリング結果に基づいて、端末が非周期ＣＳＩフィードバックする伝送ポイントの測定情報集合及び／又はダウンリンクキャリヤー集合に対応する測定集合を確定する、確定ユニットと、
確定した伝送ポイント測定情報集合及び／又は確定したダウンリンクキャリヤー集合に対応する測定集合を非周期ＣＳＩフィードバックする指示情報を端末に送信する、送信ユニットと
を備えることを特徴とする基地局。
【請求項１８】
前記送信ユニットは、第１指示ユニット、第２指示ユニット、第３指示ユニットのうちの１つ、或いは任意の組み合わせを備え、
前記第１指示ユニットは、予めに設定した測定集合における伝送ポイント測定情報集合を非周期ＣＳＩフィードバックする指示情報を端末に送信し、前記伝送ポイント測定情報集合には、前記測定集合における一部、或いは全部の伝送ポイント測定情報が含まれ、
前記第２指示ユニットは、確定したダウンリンクキャリヤー集合に対応する測定集合を非周期ＣＳＩフィードバックする指示情報を端末に送信し、
前記第３指示ユニットは、確定したダウンリンクキャリヤー集合に対応する測定集合における伝送ポイント測定情報集合を非周期ＣＳＩフィードバックする指示情報を端末に送信する、前記伝送ポイント測定情報集合には、確定したダウンリンクキャリヤー集合に対応する測定集合における伝送ポイント測定情報集合における一部、或いは全部の伝送ポイント測定情報が含まれることを特徴とする請求項１７に記載の基地局。
【請求項１９】
前記指示情報は１ビット、或いは２ビット、或いは３ビットのサイズであることを特徴とする請求項１８に記載の基地局。
【請求項２０】
前記第１指示ユニットは、
端末に１ビットの指示情報を送信して、予めに設定した測定集合における全部の伝送ポイント測定情報の伝送ポイント測定情報集合を非周期的ＣＳＩフィードバックするように端末に指示するか、
或いは、端末に１ビットの指示情報を送信して、予めに設定した測定集合における第１個の伝送ポイント測定情報を含む伝送ポイント測定情報集合を非周期的ＣＳＩフィードバックするように端末に指示するか、
或いは、端末に２ビット或いは３ビットの指示情報を送信して、前記測定集合における第１個の伝送ポイントテスト情報或いは前記測定集合中の伝送ポイント測定情報集合を非周期的ＣＳＩフィードバックするように端末に指示し、この伝送ポイント測定情報集合には、前記測定集合における一部、或いは全部の伝送ポイント測定情報が含まれることを特徴とする請求項１９に記載の基地局。
【請求項２１】
前記第２指示ユニットは、端末に２ビット或いは３ビットの指示情報を送信して、端末に指示情報を送って、指示情報が所在するキャリヤー、或いは確定したダウンリンクキャリヤー集合に対応する測定集合を非周期的ＣＳＩフィードバックするように端末に指示することを特徴とする請求項１９に記載の基地局。
【請求項２２】
前記第３指示ユニットは、端末に２ビット或いは３ビット或いは４ビットの指示情報を送信して、確定したダウンリンクキャリヤー集合に対応する測定集合における伝送ポイント測定情報集合を非周期的ＣＳＩフィードバックするように端末に指示し、当該伝送ポイント測定情報集合における確定したダウンリンクキャリヤー集合に対応する測定集合における一部、或いは全部の伝送ポイント測定情報が含まれることを特徴とする請求項１９に記載の基地局。
【請求項２３】
前記基地局は、端末に前記指示情報を送信する前に、各測定集合における伝送ポイント測定情報集合、各ダウンリンクキャリヤー集合に対応する測定集合、及びダウンリンクキャリヤー集合に対応する測定集合における伝送ポイント測定情報集合の情報を、上位層シグナリングを介して端末に通知する、通知ユニットを更に備えることを特徴とする請求項１８ないし請求項２２のいずれか１つに記載の基地局。
【請求項２４】
前記送信ユニットが、物理ダウンリンク制御チャンネル（ＰＤＣＣＨ）上のダウンリンク制御情報（ＤＣＩ）シグナリングをかいして、前記指示情報を端末に送信することを特徴とする請求項１７ないし請求項２２のいずれか１つに記載の基地局。
【請求項２５】
前記伝送ポイント測定情報は、伝送ポイントに対応するダウンリンク参考信号のコンフィグレーション情報であるか、或いは前記コンフィグレーション情報のインデックスであり、或いは伝送ポイントに対応するセルＩＤ情報であることを特徴とする請求項１８ないし請求項２２のいずれか１つに記載の基地局。
【請求項２６】
基地局により送信した伝送ポイント測定情報集合及び／又はダウンリンクキャリヤー集合に対応する測定集合を非周期ＣＳＩフィードバックする指示情報を受信する、受信ユニットと、
前記指示情報に基づいて、伝送ポイント測定情報集合及び／又はダウンリンクキャリヤー集合に対応する測定集合の対応のＣＳＩを基地局にフィードバックする、フィードバックユニットと
を備えることを特徴とする端末。
【請求項２７】
前記受信ユニットは、
基地局により送信した、予めに設定した測定集合中の伝送ポイント測定情報集合を非周期ＣＳＩフィードバックする指示上情報を受信するか、前記伝送ポイント測定情報集合における前記測定集合における一部、或いは全部の伝送ポイント測定情報が含まれる、
或いは、基地局により送信した、確定したダウンリンクキャリヤー集合に対応する測定集合を非周期ＣＳＩフィードバックする指示情報をも受信するか、
基地局により送信した、確定したダウンリンクキャリヤー集合に対応する測定集合における伝送ポイント測定情報集合を非周期ＣＳＩフィードバックする指示情報を受信し、
前記伝送ポイント測定情報集合には、確定したダウンリンクキャリヤー集合に対応する測定集合における一部、或いは全部の伝送ポイント測定情報が含まれることを特徴とする請求項２６に記載の端末。
【請求項２８】
前記指示情報は、１ビット、或いは２ビット、或いは３ビットサイズであることを特徴とする請求項２７に記載の端末。
【請求項２９】
前記フィードバックユニットは、
１ビットの指示情報を受信する場合、予めに設定した測定集合における全部の伝送ポイント測定情報の伝送ポイント測定情報集合に対応するＣＳＩを基地局にフィードバックするか、
或いは、１ビットの指示情報を受信する場合、予めに設定した測定集合における第１個の伝送ポイント測定情報の伝送ポイント測定情報集合に対応するＣＳＩを基地局にフィードバックするか、
或いは、２ビット或いは３ビットの指示情報を受信する場合、指示した前記測定集合における第１個の伝送ポイントテスト情報或いは前記測定集合における伝送ポイント測定情報集合に対応するＣＳＩを基地局にフィードバックするか、前記伝送ポイント測定情報集合には、前記測定集合における一部、或いは全部の伝送ポイント測定情報が含まれる、
或いは、２ビット或いは３ビットの指示情報を受信する場合、指示情報が所在するキャリヤー或いは指示したダウンリンクキャリヤー集合に対応する測定集合に対応するＣＳＩを基地局にフィードバックするか、
或いは、２ビット、或いは３ビット、或いは４ビットの指示情報を受信する場合、指示したダウンリンクキャリヤー集合に対応する測定集合における伝送ポイント測定情報集合に対応するＣＳＩを基地局にフィードバックし、前記伝送ポイント測定情報集合には、前記測定集合における一部、或いは全部の伝送ポイント測定情報が含まれることを特徴とする請求項２８に記載の端末。
【請求項３０】
前記受信ユニットは、基地局が上位層シグナリングを介して、送信した各測定集合における伝送ポイント測定情報集合、各ダウンリンクキャリヤー集合に対応する測定集合、及びダウンリンクキャリヤー集合に対応する測定集合における伝送ポイント測定情報集合の情報を受信することを特徴とする請求項２７ないし請求項２９のいずれか１つに記載の端末。
【請求項３１】
前記受信ユニットは、物理ダウンリンク制御チャンネル（ＰＤＣＣＨ）上のダウンリンク制御情報（ＤＣＩ）シグナリングを介して、前記指示情報を受信することを特徴とする請求項２６ない請求項２９のいずれか１つに記載の端末。
【請求項３２】
前記伝送ポイント測定情報は、伝送ポイントに対応するダウンリンク参考信号のコンフィグレーション情報であるか、或いは前記コンフィグレーション情報のインデックスであり、或いは伝送ポイントに対応するセルＩＤ情報であることを特徴とする請求項２７ないし請求項２９のいずれか１つに記載の端末。
【発明の詳細な説明】
【技術分野】
【０００１】
本出願は、２０１１年８月５日に中国特許庁に提出し、出願番号が２０１１１０２２４３２０.１であり、発明の名称が「チャンネル状態情報フィードバック指示及びフィードバック方法と設備」である中国出願を基礎とする優先権を主張し、その開示の全てを、ここに取り込む。
本発明は、無線通信分野に関し、特にチャンネル状態情報フィードバックの指示及びフィードバック方法と設備に関する。
【背景技術】
【０００２】
ＣｏＭＰ（Coordinated Multipoint Transmission/reception,コーディネートマルチポイント送受信）技術は、分離した複数の伝送ポイントの間協調技術である。
一般的に、複数の伝送ポイントは、異なるセルの基地局であるか、或いは、同じセルの基地局により制御される複数のＲＲＨである（Remote Radio Head,リモートラジオヘッド）。
複数の伝送ポイントの間協調伝送により、異なる伝送ポイント間の干渉を効果的に低減することができ、端末（特にセルエッジの端末）のスループットを高める。
ダウンリンクコーディネートマルチポイント送受信技術は、主に、ＣＳ/ＣＢ（Cooperativesc Heduling/beamforming,協力スケジューリング/ビームフォーミング）及びJoint Processing（共同処理）との二種類に分けられる。
【０００３】
協力スケジューリングは、伝送ポイント間の時間、周波数及び空間資源の協調により、相互干渉を防ぐか、または、低減する。
セル間の干渉は、セルエッジのＵＥ（User Equipment,端末・イクイップメント）性能を制約する主な要因であるため、協力スケジューリングはセル間の干渉を低減することにより、セルエッジのＵＥの性能を高めることができる。
図１のように、３つの伝送ポイントの協力スケジューリングにより、相互干渉可能の３つのＵＥを相互に直交する資源にスケジューリングし、伝送ポイント間の干渉を効果的に避けた。
協力ビームフォーミングは、協力セルの複数の端末のフォーミング方向をスケジューリングし、異なるセル間のビーム方向を相互に直交するようにすることにより相互干渉を低減する。単一セルＭＵ-ＭＩＭＯ（Multiple-userMIMO,マルチユーザＭＩＭＯ）に類似し、協力ビームフォーミングは、主に送信側の干渉の抑圧処理により実現される。
よって、端末が自身の伝送より他の端末に及ぼす伝送干渉を抑制するために、基地局側から協力セルのダウンリンクチャンネル情報を獲得する必要がある。
【０００４】
共同処理案には、ダイナミック伝送ポイントスイッチング及び共同送信との２つの仕様が含まれる。
ダイナミック伝送ポイントスイッチングの場合、基地局は、端末に送信する信号の伝送ポイントを動的に切り替えでき、これにより最適な伝送ポイントを選択してデータを伝送する。
ダイナミック伝送ポイントスイッチングを実現するために、基地局はフィードバックチャンネルから複数のオプショナルセルのチャンネル情報、或いは、最適な伝送ポイントのチャンネル情報を獲得必要がある。
共同送信案の場合、複数の伝送ポイントを介して、ＵＥにデータを同時送信することにより、ＵＥの受信信号強度を高める。
図２に示すように、３つの伝送ポイントは同じの資源において、１つのＵＥにデータを送信し、ＵＥは同時に複数のセル信号を受信する。これで、複数のセルからの有用な信号の重ね合わせは、ＵＥが受信した信号質量を高める一方、ＵＥが受けた干渉を低下できるため、システムの性能を高める。このような方法は、ＵＥが複数のセルのチャンネル情報をフィードバックすることが要求され、さらに、セル間の相対チャンネル情報も要求される。これにより、複数のセルが、共同でスケジューリング、プリコーディング及びデータ送信を行うことができるように確保する。
【０００５】
ロング・ターム・エボルーション・アドバーンスト（ＬＴＥ-Ａ）システムにおいて、ＵＥは、基地局により設定されたＣＳＩ-ＲＳ（Channel State Information Reference Signal，チャンネル状態情報参照信号）に基づき、基地局からＵＥへのチャンネル情報を推定して、且つ、ＣＱＩ（Channel Quality Indicator,チャンネル品質指示）を算出して、基地局にフィードバックする。
また、ＣＱＩとともにフィードバックされるのは、ＰＭＩ（Precoding Matrix Indicator,プリコーディング行列指示）とＲＩ（Rank Indication,ランク指示）もあるかもしれない。基地局は、ＤＣＩ（Downlink Control Information,ダウンリンク制御情報）を介して、非周期的ＣＳＩ（Channel State Information;チャンネル状態情報）を送信するようにＵＥをトリガーする。
ＵＥは、トリガー命令を受信した後、ＰＵＳＣＨ（Physical Uplink Shared Channel，物理アップリンク共有チャンネル）を介して、特定のフィードバックモードに従い、ダウンリングＲＩ/ＰＭＩ/ＣＱＩをフィードバックする。この際、もし、セルにダウンリングのキャリアが複数設定されていれば、トリガー命令において、フィードバックするキャリアチャンネル情報を指示する必要がある。
【先行技術文献】
【特許文献】
【０００６】
【特許文献１】中国特許出願第１０２２９１２２３号明細書
【発明の概要】
【発明が解決しようとする課題】
【０００７】
本発明を実現する過程において、本発明者は従来技術に次の技術問題があるのを発見した。
従来技術において、従来のＰＵＳＣＨを介して、基地局は単一セル（即ち、ＵＥのサービスセルである）のチャンネル情報しか獲得できず、他の協力セルのチャンネル情報を入手できないため、協力スケジューリング、或いは、協力伝送を行いにくい。
【課題を解決するための手段】
【０００８】
本発明の実施例は、チャンネル状態情報フィードバックの指示方法及び設備を提供することにより、基地局が、端末に、非周期的ＣＳＩフィードバックする、伝送ポイントの測定情報集合に対応する測定集合及び／又はダウンリンク・キャリア集合に対応する測定集合を指示することを実現する。
【０００９】
本発明に係るチャンネル状態情報（ＣＳＩ）フィードバックの指示方法は、基地局が、複数の伝送ポイントの協力スケジューリング結果に基づいて、端末に非周期ＣＳＩフィードバックする伝送ポイントの測定情報集合及び／又はダウンリンクキャリヤー集合に対応する測定集合を確定するステップと、前記基地局が、確定した伝送ポイント測定情報集合及び／又は確定したダウンリンクキャリヤー集合に対応する測定集合を非周期ＣＳＩフィードバックする指示情報を端末に送信するステップとを備える。
【００１０】
本発明に係る基地局は、複数の伝送ポイントの協力スケジューリング結果に基づいて、端末に非周期ＣＳＩフィードバックする伝送ポイントの測定情報集合及び／又はダウンリンクキャリヤー集合に対応する測定集合を確定する、確定ユニットと、確定した伝送ポイント測定情報集合及び／又は確定したダウンリンクキャリヤー集合に対応する測定集合を非周期ＣＳＩフィードバックする指示情報を前記端末に送信、送信ユニットとを備える。
【００１１】
この考案について、基地局は、複数の伝送ポイントの協力スケジューリング結果に基づいて、端末が非周期ＣＳＩフィードバックする測定集合を確定し、前記端末に、確定した前記測定集合を非周期ＣＳＩフィードバックする指示情報を送信する。当該測定集合は、伝送ポイントの測定情報集合及び／又はダウンリンクキャリヤー集合に対応する測定集合である。
これにより、基地局が端末に、非周期的ＣＳＩフィードバックする伝送ポイントの測定情報集合及び／又はダウンリンクキャリヤー集合に対応する測定集合を指示できるようになる。
【００１２】
本発明の実施例は、チャンネル状態情報フィードバックの指示方法及び設備を提供することにより、端末が基地局の指示に基づいて、伝送ポイントの測定情報集合及び／又はダウンリンクキャリヤー集合に対応する測定集合を非周期的ＣＳＩフィードバックすることを実現する。
【００１３】
本発明に係るチャンネル状態情報（ＣＳＩ）のフィードバック方法は、端末が、基地局が送信した、伝送ポイントの測定情報集合及び／又はダウンリンクキャリヤー集合に対応する測定集合を非周期ＣＳＩフィードバックする指示情報を受信するステップと、前記端末が、前記指示情報に基づき、前記基地局に前記伝送ポイントの測定情報集合及び／又はダウンリンクキャリヤー集合に対応する測定集合に対応するＣＳＩをフィードバックするステップとを備える。
【００１４】
本発明に係る端末は、基地局が送信した、伝送ポイントの測定情報集合及び／又はダウンリンクキャリヤー集合に対応する測定集合を非周期ＣＳＩフィードバックする指示情報を受信する、受信ユニットと、前記指示情報に基づき、前記伝送ポイントの測定情報集合及び／又はダウンリンクキャリヤー集合に対応する測定集合に対応するＣＳＩを前記基地局にフィードバックする、フィードバックユニットとを備える。
【発明の効果】
【００１５】
本発明において、端末は、基地局が送信した、測定集合を非周期ＣＳＩフィードバックする指示情報を受信して、前記指示情報に基づき、前記基地局に前記伝送ポイントの測定情報集合及び／又はダウンリンクキャリヤー集合に対応する測定集合に対応するＣＳＩをフィードバックする。これにより、端末が基地局の指示に基づいて、伝送ポイント測定情報集合及び／又は測定集合に対応するＣＳＩを非周期的にフィードバックできるようにする。
【図面の簡単な説明】
【００１６】
【図１】従来技術の伝送ポイント協力スケジューリングを示す図である。
【図２】従来技術の伝送ポイントの共同送信を示す図である。
【図３】本発明の実施例に係る方法のフロー図である。
【図４】本発明の実施例に係る他の方法のフロー図である。
【図５】本発明の実施例に係る設備の構造図である。
【図６】本発明の実施例に係る他の設備の構造図である。
【発明を実施するための形態】
【００１７】
本発明において、基地局は、予めに上位層シグナリング等を介し、測定集合を端末に設定する必要がある。
測定集合は１つ或いは複数の伝送ポイントの測定情報を含む集合であり、各伝送ポイント測定情報は、１つ或いは複数のダウンリンクキャリヤーのダウンリンク参考信号のコンフィグレーション情報、或いは、このコンフィグレーション情報のインデックス、或いは、伝送ポイントに対応するセル識別子（ＩＤ）情報を含むことができる。
ダウンリンク参考信号のコンフィグレーション情報は、ＣＳＩ-ＲＳのコンフィグレーション情報であってもよいし、ダウンリンク参考信号の所在するキャリヤー情報等を含んでもよい。
端末は、コンフィグレーション情報のインデックス或いはセルＩＤ情報に基づいて、ローカルデータベースで対応するダウンリンク参考信号のコンフィグレーション情報を見つけることができる。
本発明の測定集合は、一般的に、ＵＥが現在測定すべくすべての伝送ポイント測定情報から構成された測定集合を指す。
【００１８】
測定集合を設定する時、すべてのダウンリンクキャリヤーに対して１つの測定集合を設定することができる。当該測定集合の各伝送ポイント測定情報は、すべてのダウンリンクキャリヤーのダウンリンク参考信号のコンフィグレーション情報、或いは、このコンフィグレーション情報のインデックス、或いは、伝送ポイントに対応するセル識別子（ＩＤ）情報を含む。
また、ダウンリンクキャリヤー集合ごとに、測定集合を設定することもできる。各測定集合の各伝送ポイント測定情報は、ダウンリンクキャリヤー集合の各ダウンリンクキャリヤーのダウンリンク参考信号に対応するコンフィグレーション情報、或いは、このコンフィグレーション情報のインデックスを含む。
【００１９】
伝送ポイント測定情報集合は、測定集合における一部或いは全部の伝送ポイント測定情報を含むデータ集合である。設定された１つの測定集合として、この測定集合に対応する  伝送ポイント測定情報集合（即ち、測定集合中の伝送ポイント測定情報集合である）は、１つ或いは複数があってもよい。たとえば、測定集合は、Ａ、Ｂ２つの伝送ポイント測定情報を含むと、この測定集合に対応する伝送ポイント測定情報集合が多くとも{Ａ}、{Ａ、Ｂ}、{Ｂ}とのように３つがある。
【００２０】
ダウンリンクキャリヤー集合は、１つ或いは複数のダウンリンクキャリヤー情報を含む集合である。たとえば、システムにおいて、ａ、ｂ２つのダウンリンクキャリヤーがアグリゲートされる場合、多くとも{ａ}、{ａ、ｂ}、{ｂ}３つのダウンリンクキャリヤーがある。
【００２１】
基地局が端末に、非周期的ＣＳＩフィードバックする伝送ポイント測定情報集合及び/又はダウンリングキャリヤー集合に対応する測定集合を指示するために、本発明の実施例はＣＳＩフィードバックの指示方法を提供する。
【００２２】
図３に示すように、本発明の実施例に係るＣＳＩフィードバックの指示方法は、以下のステップ３０と、ステップ３１とを備える。
【００２３】
ステップ３０：基地局は、複数の伝送ポイントの協力スケジューリング結果に基づいて、端末が非周期ＣＳＩフィードバックする伝送ポイントの測定情報集合及び／又はダウンリンクキャリヤー集合に対応する測定集合を確定する。
【００２４】
ステップ３１：前記基地局は、前記端末に、確定した前記伝送ポイントの測定情報集合及び／又はダウンリンクキャリヤー集合に対応する測定集合を非周期ＣＳＩフィードバックする指示情報を送信する。
【００２５】
具体的に、以下３つの方式のいずれに従っても、ステップ３１を実施できる。
〈方式一〉
基地局は、端末に、予めに設定した測定集合における伝送ポイント測定情報集合（当該伝送ポイント測定情報集合はステップ３１で確定された伝送ポイント測定情報集合である）を非周期的ＣＳＩフィードバックする指示情報を送信する。この伝送ポイント測定情報集合には、前記測定集合における一部或いは全部の伝送ポイント測定情報が含まれる。
【００２６】
〈方式二〉
基地局は、端末に、確定されたダウンリンクキャリヤー集合に対応する測定集合を非周期ＣＳＩフィードバックする指示情報を送信する。
【００２７】
〈方式三〉
基地局は、端末に、確定されたダウンリンクキャリヤー集合に対応する測定集合における伝送ポイント測定情報集合（当該伝送ポイント測定情報集合はステップ３１において確定した伝送ポイント測定情報集合である）を非周期的ＣＳＩフィードバックする指示情報を送信する。当該伝送ポイント測定情報集合には、確定したダウンリンクキャリヤー集合に対応する測定集合における一部或いは全部の伝送ポイント測定情報が含まれる。
【００２８】
方式一は、すべてのダウンリンクキャリヤーを１つの測定集合に設定する場合に適用できる。また、方式一と方式三は、ダウンリンクキャリヤーごとに、１つの測定集合を設定する場合に適用できる。
【００２９】
具体的には、前記指示情報は、１ビット、或いは２ビット、或いは３ビットに設定することができる。次は例を挙げて説明する。
【００３０】
方式一について、基地局は、端末に１ビットの指示情報を送信し、予めに設定した測定集合における全部の伝送ポイント測定情報の伝送ポイント測定情報集合を、非周期的ＣＳＩフィードバックするように、端末に指示する。
【００３１】
或いは、基地局は、端末に１ビットの指示情報を送信し、予めに設定した測定集合における第１個の伝送ポイント測定情報の伝送ポイント測定情報集合を、非周期的ＣＳＩフィードバックするように、端末に指示する。
【００３２】
或いは、基地局は、端末に２ビット或いは３ビットの指示情報を送信し前記測定集合における第１個の伝送ポイントテスト情報、或いは前記測定集合における伝送ポイント測定情報集合を、非周期的ＣＳＩフィードバックするように、端末に指示する。当該伝送ポイント測定情報集合には、前記測定集合における一部或いは全部の伝送ポイント測定情報が含まれる。
【００３３】
方式二について、基地局は、端末に２ビット或いは３ビットの指示情報を送信して、指示情報が所在する現在キャリヤー、或いは確定したダウンリンクキャリヤー集合に対応する測定集合を、非周期的ＣＳＩフィードバックするように、端末に指示する。
【００３４】
方式三について、基地局は、端末に２ビット或いは３ビット或いは４ビットの指示情報を送信し、確定したダウンリンクキャリヤー集合に対応する測定集合における伝送ポイント測定情報集合を、非周期的ＣＳＩフィードバックするように、端末を指示する。当該伝送ポイント測定情報集合には、確定したダウンリンクキャリヤー集合に対応する測定集合の一部、或いは全部の伝送ポイント測定情報が含まれる。
【００３５】
さらに、基地局が端末に前記指示情報を送信する前に、基地局は、各測定集合における伝送ポイント測定情報集合、各ダウンリンクキャリヤー集合に対応する測定集合、及びダウンリンクキャリヤー集合に対応する測定集合における伝送ポイント測定情報集合の情報を、上位層シグナリングを利用して端末に通知する必要がある。端末は、これらの情報に基づいて、各伝送ポイント測定情報集合に含まれる伝送ポイント測定情報、各測定集合に対応するダウンリンクキャリヤー集合等を獲得することができる。
【００３６】
ステップ３１には、基地局は、ＰＤＣＣＨ（Physical Downlink Control Channel,物理ダウンリンク制御チャンネル）上のＤＣＩシグナリングを介して、端末に前記指示情報を送信する。
【００３７】
端末が、基地局の指示に従い、伝送ポイントの測定情報集合及び／又は測定集合を非周期的ＣＳＩフィードバックすることを実現するために、本発明の実施例は、ＣＳＩフィードバック方法を提供する。
【００３８】
図４に示すように、本発明の実施例に係るＣＳＩフィードバック方法は、ステップ４０と、ステップ４１とを備える。
【００３９】
ステップ４０：端末は、基地局からの、伝送ポイント測定情報集合及び／又はダウンリンクキャリヤー集合に対応する測定集合を非周期ＣＳＩフィードバックする指示情報を受信する。
【００４０】
ステップ４１：端末は、前記指示情報に基づいて、基地局に、伝送ポイント測定情報集合及び／又はダウンリンクキャリヤー集合に対応する測定集合に対応するＣＳＩをフィードバックする。
【００４１】
ここで、伝送ポイント測定情報集合に対応するＣＳＩは、伝送ポイント測定情報集合に含まれる各伝送ポイント測定情報に基づいて測定して得られたＣＳＩである。ダウンリンクキャリヤー集合に対応する測定集合に対応するＣＳＩは、当該測定集合に含まれる各伝送ポイント測定情報に基づいて測定した得られたＣＳＩである。伝送ポイント測定情報集合とダウンリンクキャリヤー集合に対応する測定集合に対応するＣＳＩは、当該ダウンリンクキャリヤー集合に対応する測定集合における伝送ポイント測定情報測定集合に含まれる各伝送ポイント測定情報に基づいて測定して得られたＣＳＩである。
【００４２】
１つの実施例として、ステップ４０において、端末は、基地局により送信した、予めに設定した測定集合における伝送ポイント測定情報集合を非周期ＣＳＩフィードバックする指示情報を受信することができる。当該伝送ポイント測定情報集合には、前記測定集合における一部或いは全部の伝送ポイント測定情報が含まれる。
【００４３】
そして、ステップ４１には、端末は、基地局に、前記指示情報が指示する伝送ポイント測定情報集合に対応するＣＳＩをフィードバックする。
【００４４】
他の実施例として、ステップ４０において、端末は、基地局により送信した、確定したダウンリンクキャリヤー集合に対応する測定集合を非周期ＣＳＩフィードバックする指示情報を受信することができる。
【００４５】
そして、ステップ４１には、端末は、基地局に、前記指示情報が指示するダウンリンクキャリヤー集合に対応する測定集合に対応するＣＳＩをフィードバックする。
【００４６】
他の実施例として、ステップ４０において、端末は、基地局により送信した、確定したダウンリンクキャリヤー集合に対応する測定集合における伝送ポイント測定情報集合を非周期ＣＳＩフィードバックをする指示情報を受信する。当該伝送ポイント測定情報集合には、確定したダウンリンクキャリヤー集合に対応する測定集合における伝送ポイント測定情報集合中の一部、或いは全部の伝送ポイント測定情報が含まれる。
【００４７】
そして、ステップ４１には、端末は、基地局に、前記指示情報が指示するダウンリンクキャリヤー集合に対応する測定集合における伝送ポイント測定情報集合に対応するＣＳＩをフィードバックする。当該伝送ポイント測定情報集合には、当該測定集合における一部、部分或いは全部の伝送ポイント測定情報が含まれる。
【００４８】
前記指示情報は、１ビット、或いは２ビット、或いは３ビットに設定されることができる。次は例を挙げて説明する。
【００４９】
端末が１ビットの指示情報を受信する場合、端末は、基地局に、予めに設定した測定集合における全部の伝送ポイント測定情報の伝送ポイント測定情報集合に対応するＣＳＩをフィードバックする。
【００５０】
或いは、端末が１ビットの指示情報を受信する場合、基地局に、予めに設定した測定集合中の第１個の伝送ポイント測定情報の伝送ポイント測定情報集合に対応するＣＳＩをフィードバックする。
【００５１】
或いは、端末が２ビット、或いは３ビットの指示情報を受信する場合、端末は、基地局に、指示した前記測定集合における第１個の伝送ポイントテスト情報、或いは前記測定集合における伝送ポイント測定情報集合に対応するＣＳＩをフィードバックする。当該伝送ポイント測定情報集合には、前記測定集合における一部、或いは全部の伝送ポイント測定情報が含まれる。
【００５２】
端末が２ビット或いは３ビットの指示情報を受信する場合、端末は、基地局に、指示情報が所在する現在キャリヤー、或いは指示したダウンリンクキャリヤー集合に対応する測定集合に対応するＣＳＩをフィードバックする。
【００５３】
端末が２ビット或いは３ビット或いは４ビットの指示情報を受信する場合、端末が基地局に、指示したダウンリンクキャリヤー集合に対応する測定集合における伝送ポイント測定情報集合に相応するＣＳＩをフィードバックする。当該伝送ポイント測定情報集には、当該測定集合における一部、或いは全部の伝送ポイント測定情報が含まれる。
【００５４】
さらに、端末が前記指示情報を受信する前に、端末は、基地局が上位層シグナリングを介して送信した、各測定集合における伝送ポイント測定情報集合、各ダウンリンクキャリヤー集合に対応する測定集合、及びダウンリンクキャリヤー集合に対応する測定集合における伝送ポイント測定情報集合の情報を受信する。
【００５５】
ステップ４０には、端末は、ＰＤＣＣＨ上のＤＣＩシグナリングを介して、前記指示情報を受信できる。
【００５６】
基地局と端末側のインタラクティブ実施は、以下通りである。
まず、基地局は、複数の伝送ポイントの協力スケジューリング結果に基づいて、端末の非周期ＣＳＩフィードバックに対応する伝送ポイントの測定情報集合及び／又はダウンリンクキャリヤー集合に対応する測定集合を確定、確定した伝送ポイント測定情報集合及び／又は確定したダウンリンクキャリヤー集合に対応する測定集合を非周期ＣＳＩフィードバックする指示情報を端末に送信する。
【００５７】
その後、端末は、基地局から伝送ポイント測定情報集合及び／又はダウンリンクキャリヤー集合に対応する測定集合を非周期ＣＳＩフィードバックする指示情報を受信し、前記指示情報に基づいて、伝送ポイント測定情報集合及び／又はダウンリンクキャリヤー集合に対応するＣＳＩを基地局にフィードバックする。
【００５８】
インタラクティブ実施について、基地局と端末のそれぞれの実施は、上記基地局と端末側に対する説明を参考すればよいので、ここで詳細な説明を省略する。
【００５９】
以下、本発明に対して具体的に説明する。
基地局は、複数の伝送ポイントの協力スケジューリング結果に基づいて、ＤＣＩシグナリングを介して、ＵＥに、確定した伝送ポイントの測定情報集合及び／又は確定したダウンリンクキャリヤー集合を非周期ＣＳＩフィードバックするように指示する。具体的に、基地局は、ＵＥのシステム構成と、協力スケジューリングの結果と、測定集合内容うちの少なくとも１つの情報に基づいて、ＤＣＩシグナリングに用いられるビット数を決定する。このビット数は１-３ビットのサイズである。
【００６０】
シナリオ１：すべてのダウンリンクキャリヤーに対し１つの測定集合を設定する。測定集合における各伝送ポイント測定情報には、すべてのダウンリンクキャリヤーのダウンリンク参考信号のコンフィグレーション情報が含まれる。
【００６１】
測定集合に１つだけの伝送ポイント測定情報が含まれる場合、１ビットのＤＣＩシグナリングの指示を用いる。２ビットのＤＣＩシグナリングで、伝送ポイント測定情報に含まれる一部、或いは全部のダウンリンクキャリヤーの測定情報を非周期的ＣＳＩフィードバックすることを支持することもできる。たとえば、当該伝送ポイント測定情報に含まれる主キャリアー或いは非主キャリアーの測定情報を非周期的ＣＳＩフィードバックすることを指示する。
【００６２】
測定集合に複数の伝送ポイント測定情報が含まれる場合、１ビット、或いは２ビット、或いは３ビットのＤＣＩシグナリングで指示する。
【００６３】
シナリオ２：ダウンリンクキャリヤー集合ごとに、測定集合を１つずつ設定する。各測定集合における各伝送ポイント測定情報には、ダウンリンクキャリヤー集合における各ダウンリンクキャリヤーに対応する参考信号のコンフィグレーション情報が含まれる。
【００６４】
ＵＥに１つだけのダウンリンクキャリヤーを設定する場合、１ビット或いは２ビットのＤＣＩシグナリングで指示する。
【００６５】
ＵＥに複数のダウンリンクキャリヤーを設定する刷る場合、１ビット、或いは２ビット、或いは３ビットのＤＣＩシグナリングで指示する。
【００６６】
端末は、基地局からのＤＣＩシグナリングを受信した後、当該シグナリングに含まれる情報に基づいて、伝送ポイント測定情報集合及び／又はダウンリンクキャリヤー集合に対応する測定集合に対応するＣＳＩをフィードバックする。
【００６７】
特に説明すべきは、以上の測定集合は全部主伝送ポイントを含むものである。もし標準に定義された測定集合が主伝送ポイントを含まなければ、本発明の測定集合は、当該測定集合と主伝送ポイントの合併集合である。また、以上の伝送ポイント測定情報は、通常の、伝送ポイントに対応するダウンリンク参考信号のコンフィグレーション情報であり、一般的に、伝送ポイントに対応するＣＳＩ-ＲＳ情報である。
【００６８】
実施例一：上記シナリオ１に対応する。
測定集合には１つだけの伝送ポイント測定情報が含まれる場合、１ビットのＤＣＩシグナリングで、測定集合における１つの伝送ポイント測定情報の伝送ポイント測定情報集合を非周期的ＣＳＩフィードバックするように端末に指示する。
或いは、２ビットのＤＣＩシグナリングで、当該伝送ポイント測定情報における一部、或いは全部のダウンリンクキャリヤーの測定情報を非周期的ＣＳＩフィードバックするように端末に指示する。
【００６９】
測定集合に複数の伝送ポイントが設定される場合、以下の方法を採用できる：
〈方法１〉
１ビットのＤＣＩシグナリングで、測定集合における全部の伝送ポイント測定情報を含む伝送ポイント測定情報集合を非周期的ＣＳＩフィードバックするように端末に指示する。
【００７０】
〈方法２〉
２ビットのＤＣＩシグナリングで、測定集合における伝送ポイント測定情報集合を非周期的ＣＳＩフィードバックするように端末に指示する。
具体的な内容は以下の表で示す。
【００７１】
【表１】
2014524679.tif 000003
【００７２】
【表２】
2014524679.tif 000004
或いは
【００７３】
〈方法３〉
３ビットのＤＣＩシグナリングを採用して、端末に指示情報を送って、測定集合中の伝送ポイント測定情報集合に対して、非周期的ＣＳＩフィードバックを行い、具体的な内容は以下の表で示す：
【００７４】
【表３】
2014524679.tif 000005
【００７５】
実施例二：上記シナリオ２に応じて、各ダウンリンクキャリヤー集合には１つのダウンリンクキャリヤーが含まれる。
【００７６】
端末に１つのみのダウンリンクキャリヤーが設定された場合、１つのみのダウンリンクキャリヤー集合があり、また、１つのみの測定集合がある。１ビットのＤＣＩシグナリングで、当該測定集合を非周期ＣＳＩフィードバックするように端末に指示する。
【００７７】
或いは、２ビットのＤＣＩシグナリングで、測定集合における伝送ポイント測定情報集合を非周期的ＣＳＩフィードバックするように端末に指示する。たとえば、下記の表に示すようにすることができる。
【００７８】
【表４】
2014524679.tif 000006
【００７９】
端末に複数のダウンリンクキャリヤーが設定される場合、複数のダウンリンクキャリヤー集合が存在し、ダウンリンクキャリヤー集合ごとに、測定集合が１つずつ対応する。以下の方法を用いることができる：
【００８０】
〈方法１〉
１ビットのＤＣＩシグナリングで、全部のダウンリンクキャリヤー集合に対応する測定集合に非周期ＣＳＩフィードバックする指示情報を端末に送信する。
【００８１】
〈方法２〉
２ビットのＤＣＩシグナリングで、一部のダウンリンクキャリヤー集合に対応する測定集合を非周期ＣＳＩフィードバックする指示情報を端末に送信する。たとえば、下記の表に示すようにすることができる。
【００８２】
【表５】
2014524679.tif 000007
【００８３】
ここで、あるサービスキャリアのＣＳＩをフィードバックすることは、あるサービスキャリアの対応の測定集合におけるすべての伝送ポイント測定情報に対応するＣＳＩをフィードバックすることである。
【００８４】
〈方法３〉
３ビットのＤＣＩシグナリングで、一部のダウンリンクキャリヤー集合に対応する測定集合における伝送ポイント測定情報集合を非周期ＣＳＩフィードバックするように端末に指示する。たとえば：
【００８５】
【表６】
2014524679.tif 000008
【００８６】
ここで、あるサービスキャリアのＣＳＩをフィードバックすることは、あるサービスキャリアの測定集合におけるすべての伝送ポイント測定情報に対応するＣＳＩをフィードバックすることである。
【００８７】
図５を参考し、本発明の実施例に係る基地局は、その作用は、複数の伝送ポイントの協力スケジューリング結果に基づいて、端末が非周期ＣＳＩフィードバックする、伝送ポイントの測定情報集合及び／又はダウンリンクキャリヤー集合に対応する測定集合を確定する、確定ユニット５０と、確定した伝送ポイント測定情報集合及び／又は確定したダウンリンクキャリヤー集合に対応する測定集合を非周期ＣＳＩフィードバックする指示情報を端末に送信する送信ユニット５１とを備える。
【００８８】
前記送信ユニット５１は、第１指示ユニット、第２指示ユニット、第３指示ユニットのいずれの１つであるが、或いは任意の組み合わせでもよい。
【００８９】
前記第１指示ユニットは、予めに設定した測定集合における伝送ポイント測定情報集合を非周期ＣＳＩフィードバックする指示情報を端末に送信する。当該伝送ポイント測定情報集合には、前記測定集合における一部或いは全部の伝送ポイント測定情報が含まれる。
【００９０】
前記第２指示ユニットは、確定したダウンリンクキャリヤー集合に対応する測定集合を非周期ＣＳＩフィードバックする指示情報を端末に送信するとういことである；
【００９１】
前記第３指示ユニットは、確定したダウンリンクキャリヤー集合に対応する測定集合における伝送ポイント測定情報集合を非周期ＣＳＩフィードバックする指示情報を端末に送信する。当該伝送ポイント測定情報集合には、確定したダウンリンクキャリヤー集合に対応する測定集合における伝送ポイント測定情報集合中の一部、或いは全部の伝送ポイント測定情報が含まれる。
【００９２】
前記指示情報は、１ビット、或いは２ビット、或いは３ビットに設定される。
【００９３】
前記第１個の指示ユニットは、端末に１ビット指示情報を送信し、予めに設定した測定集合における全部の伝送ポイント測定情報の伝送ポイント測定情報集合を、非周期的ＣＳＩフィードバックするように端末に指示する。
【００９４】
或いは、前記第１個の指示ユニットは、端末に１ビットの指示情報を送信し、予めに設定した測定集合における第１個の伝送ポイント測定情報を含む伝送ポイント測定情報集合を、非周期的ＣＳＩフィードバックするように端末に指示する。
【００９５】
或いは、前記第１個の指示ユニットは、端末に２ビット或いは３ビットの指示情報を送信し、前記測定集合における第１個の伝送ポイントテスト情報、或いは前記測定集合中の伝送ポイント測定情報集合を、非周期的ＣＳＩフィードバックするように端末に指示する。当該伝送ポイント測定情報集合には、前記測定集合における一部、或いは全部の伝送ポイント測定情報が含まれる。
【００９６】
前記第２指示ユニットは、端末に２ビット或いは３ビットの指示情報を送信し、端指示情報所在する現在のキャリヤー、或いは確定したダウンリンクキャリヤー集合に対応する測定集合を、非周期的ＣＳＩフィードバックするように端末に指示する。
【００９７】
前記第３指示ユニットは、端末に２ビット或いは３ビット或いは４ビットの指示情報を送信し、確定したダウンリンクキャリヤー集合に対応する測定集合における伝送ポイント測定情報集合を、非周期的ＣＳＩフィードバックするように端末に指示する。当該伝送ポイント測定情報集合には、確定したダウンリンクキャリヤー集合に対応する測定集合における一部、或いは全部の伝送ポイント測定情報が含まれる。
【００９８】
また、当該基地局は、端末に前記指示情報を送信する前に、各測定集合における伝送ポイント測定情報集合、各ダウンリンクキャリヤー集合に対応する測定集合、及びダウンリンクキャリヤー集合に対応する測定集合における伝送ポイント測定情報集合の情報を、上位層シグナリングを介して端末に通知する、通知ユニット５２を備える。
【００９９】
前記送信ユニット５１は、物理ダウンリンク制御チャンネル（ＰＤＣＣＨ）上のダウンリンク制御情報（ＤＣＩ）シグナリングを介して、端末に前記指示情報を送信する。
【０１００】
前記伝送ポイント測定情報は、伝送ポイントに対応するダウンリンク参考信号のコンフィグレーション情報であるか、或いはこのコンフィグレーション情報のインデックスであり、或いは伝送ポイントに対応するセルＩＤ情報である。
【０１０１】
図６を参考する。本発明の実施例に係る端末は、受信ユニットと６０と、フィードバックユニット６１とを備える。
受信ユニット６０は、基地局からの伝送ポイント測定情報集合及び／又はダウンリンクキャリヤー集合に対応する測定集合を非周期ＣＳＩフィードバックする指示情報を受信する。
【０１０２】
フィードバックユニット６１は、前記指示情報に基づいて、伝送ポイント測定情報集合及び／又はダウンリンクキャリヤー集合に対応する測定集合の対応のＣＳＩを基地局にフィードバックすることに用いられる。
【０１０３】
前記受信ユニット６０は、基地局からの。予めに設定した測定集合における伝送ポイント測定情報集合を、非周期ＣＳＩフィードバックする指示情報を受信する。当該伝送ポイント測定情報集合には、前記測定集合における一部、或いは全部の伝送ポイント測定情報が含まれる。
【０１０４】
或いは、前記受信ユニット６０は、基地局からの、確定したダウンリンクキャリヤー集合に対応する測定集合を、非周期ＣＳＩフィードバックする指示情報を受信する。
【０１０５】
或いは、前記受信ユニット６０は、基地局からの、確定したダウンリンクキャリヤー集合に対応する測定集合における伝送ポイント測定情報集合を、非周期ＣＳＩフィードバックする指示情報を受信する。当該伝送ポイント測定情報集合には、確定したダウンリンクキャリヤー集合に対応する測定集合における一部、或いは全部の伝送ポイント測定情報が含まれる。
【０１０６】
前記指示情報は、１ビット、或いは２ビット、或いは３ビットに設定する。
【０１０７】
前記フィードバックユニット６１は、１ビットの指示情報を受信する場合、予めに設定した測定集合における全部の伝送ポイント測定情報の伝送ポイント測定情報集合に対応するＣＳＩを基地局にフィードバックするということである。
【０１０８】
或いは、前記フィードバックユニット６１は、１ビットの指示情報を受信する場合、、予めに設定した測定集合における第１個の伝送ポイント測定情報の伝送ポイント測定情報集合に対応するＣＳＩを基地局にフィードバックする。
【０１０９】
或いは、前記フィードバックユニット６１は、２ビット或いは３ビットの指示情報を受信する場合、指示された前記測定集合における第１個の伝送ポイントテスト情報、或いは前記測定集合における伝送ポイント測定情報集合に対応するＣＳＩを基地局にフィードバックする。当該伝送ポイント測定情報集合には、前記測定集合における一部、或いは全部の伝送ポイント測定情報が含まれる。
【０１１０】
或いは、前記フィードバックユニット６１は、２ビット或いは３ビットの指示情報を受信する場合、指示情報が所在するキャリヤーに対応するＣＳＩ、或いは指示されたダウンリンクキャリヤー集合に対応する測定集合に対応するＣＳＩを基地局にフィードバックする。
【０１１１】
或いは、前記フィードバックユニット６１は、２ビット、或いは３ビット、或いは４ビットの指示情報を受信する場合、指示されたダウンリンクキャリヤー集合に対応する測定集合における伝送ポイント測定情報集合に対応するＣＳＩを基地局にフィードバックする。当該伝送ポイント測定情報集合には、当該測定集合における一部、或いは全部の伝送ポイント測定情報が含まれる。
【０１１２】
また、前記受信ユニット６０は、基地局が上位層シグナリングを介して送信した各測定集合における伝送ポイント測定情報集合、各ダウンリンクキャリヤー集合に対応する測定集合、及びダウンリンクキャリヤー集合に対応する測定集合における伝送ポイント測定情報集合の情報を受信する。
【０１１３】
前記受信ユニット６０は、物理ダウンリンク制御チャンネル（ＰＤＣＣＨ）上のダウンリンク制御情報（ＤＣＩ）シグナリングを介して、前記指示情報を受信する。
【０１１４】
前記伝送ポイント測定情報は、伝送ポイントに対応するダウンリンク参考信号のコンフィグレーション情報であるか、或いは当該コンフィグレーション情報のインデックスであり、或いは伝送ポイントに対応するセルＩＤ情報である。
【０１１５】
要するに、本発明は下記の効果を奏する。
本発明の実施例に係る考案によれば、基地局は、複数の伝送ポイントの協力スケジューリング結果に基づいて、端末の非周期ＣＳＩフィードバックに対応する伝送ポイントの測定情報集合及び／又はダウンリンクキャリヤー集合に対応する測定集合を確定し、且つ、基地局が、確定した伝送ポイント測定情報集合及び／又は確定したダウンリンクキャリヤー集合に対応する測定集合を非周期ＣＳＩフィードバックする指示情報を端末に送信する。これにより、基地局が、伝送ポイントの測定情報集合及び／又は測定集合非周期的ＣＳＩフィードバックするように端末に指示することを実現した。
【０１１６】
端末は、基地局からの伝送ポイント測定情報集合及び／又はダウンリンクキャリヤー集合に対応する測定集合を非周期ＣＳＩフィードバックする指示情報を受信し、且つ、前記指示情報に基づいて、伝送ポイント測定情報集合及び／又はダウンリンクキャリヤー集合に対応する測定集合の対応のＣＳＩを基地局にフィードバックする。これにより、端末が、基地局が指示した伝送ポイント測定情報集合及び／又は測定集合を非周期的ＣＳＩフィードバックすることを実現した。
【０１１７】
本発明によれば、は、非周期的ＣＳＩフィードバックする、伝送ポイント測定情報集合及び/又は測定集合を基地局に指示し、端末は、基地局の指示に基づき、ＣＳＩフィードバックを行い、基地局はＣｏＭＰ伝送に必要とするＣＳＩ獲得し、各種のＣｏＭＰ伝送案を支援できるようになり、これによって、著しいスループットゲインを取得する。
【０１１８】
本発明は、同時に単一ポイントの伝送とＣｏＭＰ伝送に必要とするＣＳＩのフィードバックを支援できる。本発明は後方互換性を有し、従来の非周期ＣＳＩフィードバック方法と交換できる。
【０１１９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１２０】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２１】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１２２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2014524679.tif 000009
【図２】
2014524679.tif 000010
【図３】
2014524679.tif 000011
【図４】
2014524679.tif 000012
【図５】
2014524679.tif 000013
【図６】
2014524679.tif 000014
【国際調査報告】
2014524679.tif 000015
2014524679.tif 000016
2014524679.tif 000017
2014524679.tif 000018